(57)【要約】【課題】編組線が大電流によって気化しガスが発生してケース内圧が高くなった場合にも、ケースが割れるのを抑制することができるリモコンリレーを得る。【解決手段】ケース２内で、コイルへの通電の制御によりプランジャが進退する有極電磁石装置を備え、当該プランジャの進退に伴って固定接点と可動接点との主接点を開閉し、当該可動接点とその接続端子（主接続端子）９との間を編組線で接続したリモコンリレー１において、ケース２の外壁としての側壁部３ｃ，４ｃに、編組線が気化して生成されたガスを逃がす開口部１２を形成した。【選択図】図１
2008004421.tif 000002
【特許請求の範囲】
【請求項１】
ケース内で、コイルへの通電の制御によりプランジャが進退する有極電磁石装置を備え、当該プランジャの進退に伴って固定接点と可動接点との主接点を開閉し、当該可動接点とその接続端子との間を編組線で接続したリモコンリレーにおいて、
前記ケースの外壁に、編組線が気化して生成されたガスを逃がす開口部を形成したことを特徴とするリモコンリレー。
【請求項２】
前記ケースは、前記外壁として、相互に対向する一対の底壁部と、それら底壁部の周縁間に設けられる側壁部と、を備え、
前記開口部を、前記側壁部の、前記固定接点または可動接点の接続端子に接続される外部配線に臨む位置に設けたことを特徴とする請求項１に記載のリモコンリレー。
【請求項３】
前記外壁に、前記開口部を塞ぐ蓋部材を貼付したことを特徴とする請求項１または２に記載のリモコンリレー。
【発明の詳細な説明】
【技術分野】
【０００１】
本発明は、リモコンリレーに関する。
【背景技術】
【０００２】
従来、合成樹脂等からなるケース内で、コイルへの通電の制御によりプランジャが進退する有極電磁石装置を備え、当該プランジャの進退に伴って主接点を開閉するようにしたリモコンリレーが知られている（例えば特許文献１）。
【特許文献１】特開２００１−１５５６１４号公報
【発明の開示】
【発明が解決しようとする課題】
【０００３】
この種のリモコンリレーでは、ケース内の導線として銅系素材からなる編組線を備える場合があるが、この場合において、当該編組線に１４０００［Ａ］を超えるような過大な電流が流れると、瞬間的に銅の融点（１０８３［℃］）を超え、編組線が気化してケース内圧が高くなり、ケースが割れる虞がある。
【０００４】
そこで、本発明は、編組線が大電流によって気化しガスが発生してケース内圧が高くなった場合にも、ケースが割れるのを抑制することができるリモコンリレーを得ることを目的とする。
【課題を解決するための手段】
【０００５】
請求項１の発明にあっては、ケース内で、コイルへの通電の制御によりプランジャが進退する有極電磁石装置を備え、当該プランジャの進退に伴って固定接点と可動接点との主接点を開閉し、当該可動接点とその接続端子との間を編組線で接続したリモコンリレーにおいて、上記ケースの外壁に、編組線が気化して生成されたガスを逃がす開口部を形成したことを特徴とする。
【０００６】
請求項２の発明にあっては、上記ケースは、上記外壁として、相互に対向する一対の底壁部と、それら底壁部の周縁間に設けられる側壁部と、を備え、上記開口部を、上記側壁部の、上記固定接点または可動接点の接続端子に接続される外部配線に臨む位置に設けたことを特徴とする。
【０００７】
請求項３の発明にあっては、上記外壁に、上記開口部を塞ぐ蓋部材を貼付したことを特徴とする。
【発明の効果】
【０００８】
請求項１の発明によれば、上記開口部から編組線が気化して生じたガスをケース外へ逃がすことができるため、ケース内圧が高くなってケースが割れるのを抑制することができる。
【０００９】
請求項２の発明によれば、上記開口部とリモコンケースが収容される筐体（分電盤の筐体等）の内壁面との間に外部配線が介在することになる分、当該開口部と内壁面との間により確実に空間を確保して、開口部から排出されたガスによって筐体内の開口部近傍の内圧が局所的に高くなるのを抑制することができる。
【００１０】
請求項３の発明によれば、上記蓋部材によってケース内への異物の侵入を抑制することができる上、開口部からケース内部が見えなくなる分、美観の向上を図ることができる。
【発明を実施するための最良の形態】
【００１１】
以下、本発明の好適な実施形態について図面を参照しながら詳細に説明する。図１は、本実施形態にかかるリモコンリレーの外観を示す斜視図、図２は、リモコンリレーのケースをなすカバーの斜視図、図３は、リモコンリレーの分解斜視図である。
【００１２】
リモコンリレー１は、絶縁性の合成樹脂からなる略有底角筒状のボディ３と、当該ボディ３の開口面を覆うカバー４とからなるケース２を備えている。
【００１３】
ボディ３およびカバー４の底壁部３ａ，４ａには、それぞれ四箇所ずつ貫通孔３ｂ，４ｂが形成されており、これら貫通孔３ｂ，４ｂのそれぞれに、ボディ３およびカバー４のうち一方の表面側からかしめピン５を挿通し、他方の表面側に露出した先端部（頭部５ａの反対側；図示せず）をかしめることによって、ボディ３とカバー４とが一体化されるようになっている。
【００１４】
ボディ３は、略長方形板状の底壁部３ａと、その周縁部に垂設される側壁部３ｃとを備えて略有底角筒状に形成されている。底壁部３ａの一短辺上の側壁部３ｃは長辺方向に向けて切り欠くように凹設されており、この凹設部分に固定接点６および可動接点７の主接続端子８，９がねじ留め固定されている。なお、固定接点６は、この側壁部３ｃに形成されたスリット状の切欠部３ｄに嵌装されている。
【００１５】
また、主接続端子８，９が固定される側壁部３ｃと対向する側の側壁部３ｃには切欠部３ｅが形成され、この切欠部３ｅから、電磁石ブロック１０（有極電磁石装置）の通電端子１１がほぼ隙間無く露出するようになっている。また、側壁部３ｃには、電磁石ブロック１０に揺動可能に設けられる連動レバー１４の手動操作部１４ａを露出させる切欠部３ｆも形成されている。
【００１６】
一方、カバー４は、略長方形板状の底壁部４ａと、その周縁部に垂設される側壁部４ｃとを備えている。側壁部４ｃは、全体的にはボディ３の側壁部３ｃより低く形成されているが、図２に示すように、主接続端子８，９の固定部分近傍では部分的に高くされ、図１に示すように、ボディ３の側壁部３ｃとほぼ同じ高さとなっている。そして、この側壁部４ｃの高く形成された部分の端縁に底壁部４ａ側に向けて深い矩形状の切欠４ｄを形成し、図１に示すように、ボディ３およびカバー４の側壁部３ｃ，４ｃの端縁同士を付き合わせてケース２を形成したときに、当該切欠４ｄとボディ３の側壁部３ｃの端縁とによって、略矩形状の開口部１２が形成されるようにしてある。
【００１７】
図３に示すように、ケース２の内部には、電磁石ブロック１０の他、固定接点６や可動接点７等の各種構成部品が収容される。
【００１８】
電磁石ブロック１０は、通電端子１１を介して通電されるコイル（図示せず）と、このコイルへの通電の制御によって進退移動するプランジャ１３と、電磁石ブロック１０の本体部に揺動可能に支持される連動レバー１４とを備えている。この連動レバー１４は、プランジャ１３の進退動作に伴って揺動するようになっている。
【００１９】
固定接点６は、ボディ３に固定される一方、可動接点７は連動レバー１４に取り付けられて当該連動レバー１４とともに揺動する。また、固定接点６と当該固定接点６用の主接続端子８とは一つの金属導体を折曲成形して一体に形成される一方、可動接点７と当該可動接点７用の主接続端子９とは銅系材料からなる可撓性の編組線１５を介して接続されている。
【００２０】
そして、かかる構成において、プランジャ１３が電磁石ブロック１０の本体部から突出した位置では、固定接点６の接点６ａと可動接点７の接点７ａとが当接して主接続端子８，９間の回路が閉じ、プランジャ１３が電磁石ブロック１０の本体部の内側に引き込んだ位置では固定接点６の接点６ａと可動接点７の接点７ａとが離間して当該回路が開くようになっている。なお、本実施形態では、可動接点７を固定接点６側に付勢する付勢手段としてのコイルばね１６を設け、接点６ａ，７ａ同士が接触している状態での接触圧力を高めるようにしてある。また、固定接点６と可動接点７との間には隔壁１７を設け、より確実な絶縁状態を確保している。また、連動レバー１４には、ケース２外に露出する手動操作部１４ａが設けられており、この手動操作部１４ａの操作によって連動レバー１４を動かし、当該回路の開閉を手動で切り替えられるようになっている。
【００２１】
ここで、かかるリモコンリレー１の動作について説明すると、まず、プランジャ１３が突出する向きに通電端子１１を介して電磁石ブロック１０内のコイルを通電すると、プランジャ１３の突出に伴って連動レバー１４が回動し、可動接点７の接点７ａが固定接点６の接点６ａに接触して、主接続端子８，９間の回路が閉じる。なお、接点６ａ，７ａ同士が接触した状態は、図示しない永久磁石の作用により、コイルへの通電を停止した状態でも維持されるようになっている。
【００２２】
次に、プランジャ１３が引き込む向きにコイルを通電すると、プランジャ１３の退入に伴って連動レバー１４が回動し、可動接点７の接点７ａが固定接点６の接点６ａから離間して、主接続端子８，９間の回路が開く。
【００２３】
ここで、これら接点６ａ，７ａの開極時において、主接続端子８，９間の回路に短絡電流のような１４０００［Ａ］を超える過大な電流が流れると、瞬間的に銅の融点（１０８３［℃］）を超え、編組線１５が気化してガスが発生するが、本実施形態では、このガスを開口部１２から逃がして、ケース２の内圧が高くなるのを抑制することができる。
【００２４】
ここで、開口部１２は、主接続端子８，９の固定部分近傍の、側壁部３ｃ，４ｃの凹設部分に形成されている。図１から明らかとなるように、開口部１２は、ケース２の側壁部３ｃ，４ｃの、主接続端子８，９に接続される外部配線２０に臨む位置に形成されている。
【００２５】
また、この開口部１２は、図１に示すように、蓋部材１８で被覆しておくのが好適である。この蓋部材１８は、ケース２の内圧が上昇したときにケース２に割れが生じる圧力より低い（十分に低い）圧力で剥がれる接合強度で、ケース２の側壁部３ｃ，４ｃに貼付（例えば接着等）されている。また、蓋部材１８としては、布や板状部材を用いることができるし、所定の情報を記載した銘板をこの蓋部材１８として用いることもできる。
【００２６】
以上の本実施形態によれば、ケース外壁としての側壁部３ｃ，４ｃに、編組線１５が気化して生成されたガスを逃がす開口部１２を形成したため、ケース２の内圧が高くなってケース２が割れるのを抑制することができる。
【００２７】
また、本実施形態によれば、ケース２は、外壁として、相互に対向する一対の底壁部３ａ，４ａと、それら底壁部３ａ，４ａの周縁間に設けられる側壁部３ｃ，４ｃと、を備え、開口部１２を、側壁部３ｃ，４ｃの、固定接点６または可動接点７の主接続端子８，９に接続される外部配線２０に臨む位置に設けたため、開口部１２とリモコンリレー１が収容される筐体（分電盤の筐体等；図示せず）の内壁面との間に外部配線２０が介在することになる分、側壁部３ｃ，４ｃと内壁面との間に隙間をより確実に確保することができ、ガスが筐体内に局所的に充填されて短絡が生じるのを抑制することができる。
【００２８】
また、本実施形態によれば、外壁としての側壁部３ｃ，４ｃに、開口部１２を塞ぐ蓋部材１８を貼付したため、ケース２内への異物の侵入を抑制することができる上、開口部１２からケース２の内部が見えなくなる分、美観の向上を図ることができる。
【００２９】
以上、本発明の好適な実施形態について説明したが、本発明は上記実施形態には限定されず、種々の変形が可能である。例えば、上記実施形態では、カバー４の側壁部４ｃに設けた切欠４ｄによって開口部を形成したが、ボディ３の側壁部３ｃ側あるいは双方に設けた切欠によって開口部を形成してもよいし、他の部分に形成してもよい。
【図面の簡単な説明】
【００３０】
【図１】本発明の一実施形態にかかるリモコンリレーの外観を示す斜視図。
【図２】本発明の一実施形態にかかるリモコンリレーのケースをなすカバーの斜視図。
【図３】本発明の一実施形態にかかるリモコンリレーの分解斜視図。
【符号の説明】
【００３１】
１  リモコンリレー
２  ケース
３ａ，４ａ  底壁部（外壁）
３ｃ，４ｃ  側壁部（外壁）
６  固定接点
７  可動接点
８，９  主接続端子（接続端子）
１０  電磁石ブロック（有極電磁石装置）
１２  開口部
１３  プランジャ
１５  編組線
１８  蓋部材
２０  外部配線
【図１】
2008004421.tif 000003
【図２】
2008004421.tif 000004
【図３】
2008004421.tif 000005